(57)【要約】【課題】スクリーンの前方上方に配置される投写装置において、１つのリモコン受信部で、リモコンの操作可能範囲を損なうことなく、説明者の位置と、スクリーンから離れた視聴者の位置からリモコン操作可能な技術を提供することを目的とする。【解決手段】投写装置１０は、光源２と、表示デバイス３と、投写部４と、投写部４で拡大投写された映像光を反射してスクリーン１１の前方から斜め下方のスクリーン１１に投写する反射部５と、リモコン信号を受信するリモコン受信部６とを備えている。スクリーン１１の真直前方において、リモコン受信部６のリモコン信号受信範囲の一部が、反射部５で反射されたリモコン信号を受信する範囲となり、かつ、リモコン信号受信範囲の残部が、反射部５を介さずにリモコン信号を直接受信する範囲となる位置に、リモコン受信部６は配置されている。【選択図】図１
2015082057.tif 000002
【特許請求の範囲】
【請求項１】
スクリーンの前方上方に配置される投写装置であって、
光源と、
前記光源から出射された光を、入力映像信号に基づいて映像光に変換する表示デバイスと、
前記映像光を拡大投写する投写部と、
前記投写部で拡大投写された映像光を反射して前記スクリーンの前方から斜め下方の前記スクリーンに投写する反射部と、
リモコン信号を受信するリモコン受信部と、
を備え、
前記スクリーンの真直前方において、前記リモコン受信部のリモコン信号受信範囲の一部が、前記反射部で反射されたリモコン信号を受信する範囲となり、かつ、前記リモコン信号受信範囲の残部が、前記反射部を介さずにリモコン信号を直接受信する範囲となる位置に、前記リモコン受信部は配置されている、投写装置。
【請求項２】
前記リモコン受信部は、前記反射部で遮られることなく前記リモコン信号の前記直接受信が可能となる程度に前記投写部から離れて配置されている、請求項１記載の投写装置。
【請求項３】
前記反射部に対する前記リモコン受信部の相対位置が変更可能に構成されている、請求項１または請求項２記載の投写装置。
【請求項４】
前記反射部は凸面ミラーで構成されている、請求項１〜３のいずれか１つに記載の投写装置。
【請求項５】
前記反射部は凹面ミラーで構成されている、請求項１〜３のいずれか１つに記載の投写装置。
【発明の詳細な説明】
【技術分野】
【０００１】
本発明は、リモートコントロール（以下「リモコン」という）受信部を備えた反射式投写装置に関し、特にリモコンの操作可能範囲を広くすることを可能にした装置に関するものである。
【背景技術】
【０００２】
従来から映像を大画面で表示できる投写装置が普及し、このような投写装置は、中小会議室および大ホールのような場所において多人数での視聴に使用されている。
【０００３】
投写装置においては、学校などの教育現場では説明内容を毎回黒板に書く従来の方法に比べて、次のような長所がある。事前に写真またはパソコンなどで映像を準備した場合、次回からは同じ映像を使用することができ、また、投写された映像を生徒と共有して一体感を得て授業を進められるなどである。このため、投写装置は急速に普及している。
【０００４】
投写装置は映像を拡大投写する際に、投写装置からスクリーンまでの距離が必要であるため、スクリーンから離れた場所に投写装置を配置する必要があるが、スクリーンに向けて拡大投写された映像はスクリーンの前に位置する説明者と重なる。この場合、説明者の影となり、映像が欠けてしまうという問題があった。また、説明者は映像光が目に入って眩しさのため視聴者の表情・状況が分からなくなり、視聴者との一体感が阻害されて効率的に説明することができないという問題があった。
【０００５】
近年、上記の問題を解決するために、反射式投写装置を説明者の真上付近（換言するとスクリーンの真上付近）に配置する使用方法が増えている。反射式投写装置においては、反射部を用いて映像光を反射させて同じ空間を２回使用することで、投写距離の短縮を実現し易くしている。この場合、説明者の真上付近からスクリーンに向けて大きな入射角度で映像光が投写されるため、説明者の影になり難い。
【０００６】
従来の反射式投写装置においては、筐体に投写部と反射部とリモコン受信部が設けられている（例えば、特許文献１参照）。筐体で形成された映像光は投写部で拡大投写され、その後反射部で反射されスクリーンに向かって投写される。一方、投写装置を遠隔操作するために、リモコン信号がスクリーンに向けて発信された場合、リモコン信号は映像光とは逆の経路で投写部付近に向けて進む。従来の反射投写装置では、リモコン受信部を投写部に近接させて配置しているため、リモコン信号がスクリーンに向けて発信されることで、リモコン受信部が１つであっても投写装置の操作が可能となる。
【先行技術文献】
【特許文献】
【０００７】
【特許文献１】特開平６−３８０７０号公報
【発明の概要】
【発明が解決しようとする課題】
【０００８】
従来の反射式投写装置では、スクリーンに向けて発信されたリモコン信号はスクリーンで反射された後、映像光とは逆の経路でリモコン受信部に向かうが、一般的なスクリーンにおいて、映像光は入射角θinと反射角θoutがほぼ等しくなるように反射される。すなわち、スクリーン付近と、スクリーンから離れた位置の両方でリモコン操作が可能である。
【０００９】
他方、投写距離の短い反射式投写装置をスクリーンの真上付近に配置した場合、スクリーンと投写装置の配置位置が要因となり、スクリーンに対する映像光の入射角θinと出射角θoutは、投写距離の長い反射式投写装置をスクリーンから離して配置した場合と比べて大きくなる。その結果、リモコンの操作可能範囲が狭くなるという問題があった。具体的には、スクリーン付近に位置する説明者の位置からは操作可能であったが、スクリーンから離れた視聴者の位置からは操作不可能であった。
【００１０】
また、この問題を解決するために、複数個所（例えば２個所）にリモコン受信部を設けるという方法があるが、リモコン受信部およびこれを制御する回路・保持する構造部品などが余分に必要となるため、反射式投写装置の製造コストが上昇する要因となっていた。さらに、２つのリモコン受信部の受信可能範囲の間にリモコンの操作不可能範囲が存在することもあった。
【００１１】
そこで、本発明は、スクリーンの前方上方に配置される投写装置において、１つのリモコン受信部で、リモコンの操作可能範囲を損なうことなく、説明者の位置と、スクリーンから離れた視聴者の位置からリモコン操作可能な技術を提供することを目的とする。
【課題を解決するための手段】
【００１２】
本発明に係る投写装置は、スクリーンの前方上方に配置される投写装置であって、光源と、前記光源から出射された光を、入力映像信号に基づいて映像光に変換する表示デバイスと、前記映像光を拡大投写する投写部と、前記投写部で拡大投写された映像光を反射して前記スクリーンの前方から斜め下方の前記スクリーンに投写する反射部と、リモコン信号を受信するリモコン受信部とを備え、前記スクリーンの真直前方において、前記リモコン受信部のリモコン信号受信範囲の一部が、前記反射部で反射されたリモコン信号を受信する範囲となり、かつ、前記リモコン信号受信範囲の残部が、前記反射部を介さずにリモコン信号を直接受信する範囲となる位置に、前記リモコン受信部は配置されているものである。
【発明の効果】
【００１３】
本発明によれば、スクリーンの真直前方において、リモコン受信部のリモコン信号受信範囲の一部が、反射部で反射されたリモコン信号を受信する範囲となり、かつ、リモコン信号受信範囲の残部が、反射部を介さずにリモコン信号を直接受信する範囲となる位置に、リモコン受信部は配置されている。したがって、スクリーンの前方上方に配置される投写装置において、１つのリモコン受信部で、スクリーン付近に位置する説明者の位置と、スクリーンから離れた視聴者の位置からリモコン操作が可能となる。また、複数個所にリモコン受信部を配置する必要がないため、リモコンの操作可能範囲を損なわない。
【図面の簡単な説明】
【００１４】
【図１】実施の形態１に係る投写装置の透視側面図である。
【図２】実施の形態１に係る投写装置のリモコン信号受信経路を示す斜視図である。
【図３】実施の形態１に係る投写装置の正面図である。
【図４】実施の形態１に係る投写装置のリモコン信号受信範囲を示す側面図である。
【図５】実施の形態３に係る投写装置の反射部におけるリモコン信号受信範囲を示す側面図である。
【図６】実施の形態４に係る投写装置の反射部におけるリモコン信号受信範囲を示す側面図である。
【図７】前提技術に係る投写装置のリモコン信号受信経路を示す斜視図である。
【図８】前提技術に係る投写装置においてスクリーンから離して配置した場合のリモコン信号受信範囲を示す側面図である。
【図９】前提技術に係る投写装置においてスクリーンの真上付近に配置した場合のリモコン信号受信範囲を示す側面図である。
【図１０】前提技術に係る投写装置において２つのリモコン受信部を備える場合のリモコン信号受信範囲を示す側面図である。
【発明を実施するための形態】
【００１５】
＜実施の形態１＞
本発明の実施の形態１について、図面を用いて以下に説明する。図１は、実施の形態１に係る投写装置１０の透視側面図であり、図２は、投写装置１０のリモコン信号受信経路を示す斜視図であり、図３は、投写装置１０の正面図であり、図４は、投写装置１０のリモコン信号受信範囲を示す側面図である。図１に示すように、投写装置１０は、反射式投写装置であり、筐体１と、光源２と、表示デバイス３と、投写部４と、反射部５と、リモコン受信部６とを備えている。
【００１６】
光源２は、発光管２ａと曲面ミラー２ｂを組み合わせた高圧水銀ランプを用いて構成され、筐体１内に配置されている。なお、光源２は、高圧水銀ランプを用いることが一般的であるが、それに限定されず、ＬＥＤ（Light Emitting Diode）光源などを用いてもよい。表示デバイス３は、ＤＭＤ（Digital Micromirror Device）または液晶表示素子などを用いて構成され、筐体１内に配置されている。表示デバイス３は、光源２から出射された光を、入力映像信号に基づいて映像光に変換する。投写部４は、筐体１の壁部に配置され、表示デバイス３で変換された映像光を拡大投写する。
【００１７】
反射部５は、平面ミラーで構成され、筐体１の壁部から外部に突出する固定部１ａに固定されている。すなわち、反射部５は、投写部４と対向する位置に配置されている。図４に示すように、反射部５は、投写部４で拡大投写された映像光を反射してスクリーン１１の前方から斜め下方のスクリーン１１に投写する。ここで、図４において破線は、投写装置１０からスクリーン１１に映像光を投写する経路である。
【００１８】
リモコン受信部６は、筐体１の壁部に配置され、離れた場所から投写装置１０をリモコン操作するために発信されたリモコン信号を受信する。リモコン信号は、筐体１内に配置された信号回路（図示省略）で処理される。信号回路で得られた操作信号に基づいて、投写装置１０のリモコン操作が可能となる。ここで、リモコン信号は、一般的に赤外光または電波が使用され、リモコン受信部６への直接受信だけでなく、壁またはスクリーン１１で反射させても受信が可能である。但し、反射物の素材による反射特性および反射回数に応じて信号レベルが低下するため、リモコンとリモコン受信部６との間には遮蔽物がない方が望ましい。
【００１９】
例えば、リモコン信号に赤外線を使用した場合、反射部５の反射波長特性を映像光の可視光線の波長領域だけでなく赤外線の波長領域も反射するよう設定することで、反射部５でのリモコン信号の減衰は無視できる。なお、リモコン受信部６はリモコン信号の種類に応じて選定され、リモコン信号が赤外線の場合は赤外線受信部となるが、それに限定されず、リモコン信号が電波の場合は電波受信部となる。
【００２０】
次に、図１〜図４を用いてリモコン受信部６の位置について説明する。スクリーン１１の真直前方において、リモコン受信部６のリモコン信号受信範囲の一部が、反射部５で反射されたリモコン信号を受信する範囲となり、かつ、リモコン信号受信範囲の残部が、反射部５を介さずにリモコン信号を直接受信する範囲となる位置に、リモコン受信部６は配置されている。
【００２１】
より具体的には、リモコン受信部６は、スクリーン１１の真直前方において、反射部５で遮られることなくリモコン信号の直接受信が可能となる程度に投写部４から離れて配置されている。すなわち、スクリーン１１の真直前方において、リモコン受信部６の右側部分は反射部５で遮られるが、リモコン受信部６の左側部分は反射部５で遮られないように、リモコン受信部６は、投写部４から予め定められた距離だけ離れて配置されている。なお、図３において紙面左方向を左方向、紙面右方向を右方向として説明するとともに、図４において紙面右方向を前方向として説明する。
【００２２】
リモコン受信部６が上記の位置に配置されたことで、図１と図２と図４に示すように、投写装置１０は、２つのリモコン信号受信経路を有している。一方は、反射部５で反射されたリモコン信号を受信する経路であり、映像光とは逆の経路である。すなわち、スクリーン１１に向けて発信されたリモコン信号は、スクリーン１１で反射された後、反射部５で反射されてリモコン受信部６で受信される。他方は、反射部５を介さずにリモコン信号を直接受信する経路である。ここで、図１において破線矢印は、実施の形態１のリモコン受信範囲である。リモコン操作が可能な範囲は、図４の斜線部となりスクリーン１１付近と離れた位置の両方でリモコン操作が可能である。
【００２３】
次に、投写装置１０から得られる効果について、前提技術に係る投写装置１００と対比しながら説明する。最初に、図７〜図１０を用いて前提技術に係る投写装置１００を説明する。図７は、前提技術に係る投写装置１００のリモコン信号受信経路を示す斜視図であり、図８は、投写装置１００においてスクリーン１１から離して配置した場合のリモコン信号受信範囲を示す側面図であり、図９は、投写装置１００においてスクリーン１１の真上付近に配置した場合のリモコン信号受信範囲を示す側面図であり、図１０は、投写装置１００において２つのリモコン受信部を備える場合のリモコン信号受信範囲を示す側面図である。なお、前提技術において、実施の形態１で説明したものと同一の構成要素については同一符号を付して説明は省略する。
【００２４】
前提技術に係る投写装置１００においては、リモコン受信部６を投写部４に近接させて配置している点が実施の形態１に係る投写装置１０と異なる。図７に示すように、リモコン受信部６は、筐体１の壁部において投写部４の下側に近接させて配置されている。すなわち、リモコン受信部６および投写部４は、スクリーン１１の真直前方において、反射部５で遮られている。
【００２５】
リモコン信号がスクリーン１１に向けて発信された場合、スクリーン１１で反射されたリモコン信号は、反射部５で反射されてリモコン受信部６で受信される。図８に示すように、投写距離の長い投写装置１００をスクリーン１１から離して配置した場合、スクリーン１１に向けて発信されたリモコン信号は、スクリーン１１で反射された後、映像光とは逆の経路でリモコン受信部６に向かうが、一般的なスクリーンにおいてリモコン信号は、入射角θinと反射角θoutがほぼ等しく反射される。すなわちリモコン操作が可能な範囲は、図８の斜線部となりスクリーン１１付近と離れた位置の両方でリモコン操作が可能である。
【００２６】
他方、図９に示すように、投写距離の短い投写装置１００をスクリーン１１の真上付近に配置した場合、スクリーン１１と投写装置１００の配置位置が要因となり、図８に示す投写距離の長い投写装置１００をスクリーン１１から離して配置した場合と比べて、スクリーン１１に対する映像光の入射角θinと出射角θoutは、大きくなる。その結果、リモコン操作が可能な範囲は斜線部で示した領域となり、図８の場合と比べてリモコンの操作可能範囲が狭くなるという問題があった。このため、スクリーン１１付近に位置する説明者の位置からは操作可能であるが、スクリーン１１から離れた視聴者の位置からは操作不可能となる。
【００２７】
また、図１０に示すように、複数箇所にリモコン受信部６を配置する方法（図１０は、天吊配置時の投写装置１００の底面に配置した事例）があるが、リモコン受信部６およびこれを制御する回路・保持する構造部品などが余分に必要となるため、投写装置１００の製造コストが上昇する要因となっていた。さらに、２つのリモコン受信部６の受信可能範囲の間にリモコンの操作不可能範囲が存在することもあった。
【００２８】
これに対して、実施の形態１に係る投写装置１０では、スクリーン１１の真直前方において、リモコン受信部６のリモコン信号受信範囲の一部が、反射部５で反射されたリモコン信号を受信する範囲となり、かつ、リモコン信号受信範囲の残部が、反射部５を介さずにリモコン信号を直接受信する範囲となる位置に、リモコン受信部６は配置されている。したがって、スクリーン１１の前方上方に配置される投写装置１０において、１つのリモコン受信部６で、スクリーン１１付近に位置する説明者の位置と、スクリーン１１から離れた視聴者の位置からリモコン操作が可能となる。
【００２９】
すなわち、投写装置１０をスクリーン１１の真上付近に配置した場合にも、１つのリモコン受信部６で、スクリーン１１付近に位置する説明者の位置と、スクリーン１１から離れた視聴者の位置からリモコン操作が可能となる。また、複数個所にリモコン受信部６を配置する必要がないため、リモコンの操作可能範囲を損なわない。これにより、リモコン信号の感度不足に起因する受信の失敗などが発生し難い投写装置１０を実現できる。
【００３０】
リモコン受信部６は、反射部５で遮られることなくリモコン信号の直接受信が可能となる程度に投写部４から離れて配置されているため、前提技術に対してリモコン受信部６の位置を変更するだけで実現できることから、投写装置１０の製造コストの上昇を抑制できる。
【００３１】
＜実施の形態２＞
次に、図１〜図４を用いて、実施の形態２に係る投写装置について説明する。なお、実施の形態２において、実施の形態１で説明したものと同一の構成要素については同一符号を付して説明は省略する。
【００３２】
実施の形態２においては、反射部５に対するリモコン受信部６の相対位置を変更可能にした点が実施の形態１の場合と異なる。反射部５に対するリモコン受信部６の相対位置を変更する構成（図示省略）としては、例えば、リモコン受信部６を引き戸のようなレール上に配置したり、ドア蝶番のような関節部の先端部に配置したりすることで実現可能である。反射部５に対するリモコン受信部６の相対位置を変更することで、実施の形態１で説明した２つのリモコン信号受信経路における受信感度の配分を変更することが可能となる。ここで、レールまたは関節部は、筐体１の壁部に配置される。
【００３３】
例えば、図４のスクリーン１１付近に位置する説明者が主にリモコン操作するため、説明者の位置からのリモコン受信感度を上げる場合、リモコン受信部６をレールに沿って、右側に移動させることで実現可能である。または、リモコン受信部６が右側に移動するように、関節部を介してリモコン受信部６の向きを変更することで実現可能である。
【００３４】
これとは反対に、スクリーン１１から離れた視聴者が主にリモコン操作するため、視聴者の位置からのリモコン受信感度を上げる場合、リモコン受信部６をレールに沿って、左側に移動させることで実現可能である。または、リモコン受信部６が左側に移動するように、関節部を介してリモコン受信部６の向きを変更することで実現可能である。
【００３５】
以上のように、実施の形態２に係る投写装置では、反射部５に対するリモコン受信部６の相対位置が変更可能に構成されているため、反射部５で反射されたリモコン信号を受信する範囲と、反射部５を介さずにリモコン信号を直接受信する範囲の受信感度を変更することが可能となる。
【００３６】
＜実施の形態３＞
次に、実施の形態３に係る投写装置について説明する。図５は、実施の形態３に係る投写装置の反射部１５におけるリモコン信号受信範囲を示す側面図である。なお、実施の形態３において、実施の形態１，２で説明したものと同一の構成要素については同一符号を付して説明は省略する。
【００３７】
実施の形態３においては、実施の形態１における反射部５の代わりに反射部１５を備え、反射部１５は凸面ミラーで構成されている。凸面ミラーに対する映像光およびリモコン信号は、実施の形態１で説明した平面ミラーと同様に入射角と出射角が等しくなるよう作用する。凸面ミラーへの入射角が大きくなる、すなわち出射角も大きくなることで映像光は一層拡大される。上記のようにスクリーン１１に反射されたリモコン信号は、映像光とは逆の経路で進むため、一層広い範囲のリモコン信号受信が可能となる。ここで、図５において破線矢印は、実施の形態１のリモコン受信範囲であり、実線矢印は、実施の形態３で新たに増加したリモコン受信範囲である。
【００３８】
以上のように、実施の形態３に係る投写装置では、反射部１５は凸面ミラーで構成されているため、実施の形態１の場合と比較して、スクリーン反射におけるリモコン受信範囲が増加し、一層広範囲でリモコン操作が可能となる。
【００３９】
＜実施の形態４＞
次に、実施の形態４に係る投写装置について説明する。図６は、実施の形態４に係る投写装置の反射部２５におけるリモコン信号受信範囲を示す側面図である。なお、実施の形態４において、実施の形態１〜３で説明したものと同一の構成要素については同一符号を付して説明は省略する。
【００４０】
実施の形態４においては、実施の形態１における反射部５の代わりに反射部２５を備え、反射部２５は凹面ミラーで構成されている。凹面ミラーに対する映像光およびリモコン信号は、実施の形態１で説明した平面ミラーと同様に入射角と出射角が等しくなるよう作用する。凹面ミラーへの入射角が小さくなる、すなわち出射角も小さくなることで映像光は上下反転し、その後拡大される。上記のようにスクリーン１１に反射されたリモコン信号は、映像光とは逆の経路で進むため、一層広い範囲のリモコン信号受信が可能となる。ここで、図６において破線矢印は、実施の形態１のリモコン受信範囲であり、実線矢印は、実施の形態４で新たに増加したリモコン受信範囲である。
【００４１】
以上のように、実施の形態４に係る投写装置では、反射部２５は凹面ミラーで構成されているため、実施の形態１の場合と比較して、スクリーン反射におけるリモコン受信範囲が増加し、一層広範囲でリモコン操作が可能となる。
【００４２】
なお、本発明は、その発明の範囲内において、各実施の形態を自由に組み合わせたり、各実施の形態を適宜、変形、省略することが可能である。
【符号の説明】
【００４３】
２  光源、３  表示デバイス、４  投写部、５  反射部、６  リモコン受信部、１０  投写装置、１１  スクリーン、１５  反射部、２５  反射部。
【図１】
2015082057.tif 000003
【図２】
2015082057.tif 000004
【図３】
2015082057.tif 000005
【図４】
2015082057.tif 000006
【図５】
2015082057.tif 000007
【図６】
2015082057.tif 000008
【図７】
2015082057.tif 000009
【図８】
2015082057.tif 000010
【図９】
2015082057.tif 000011
【図１０】
2015082057.tif 000012